(57)【要約】【課題】厨芥を長時間収容したまま放置しても、細菌や虫などが発生せず、悪臭が厨芥容器から外部に発散しない厨芥容器。【解決手段】本体と、蓋と、受圧子と、作動モータと、制御電子回路と、電源プラグと、バルブと、を有する厨芥容器において、本体は、内部に収容空間が設けられ、上部には開口が設けられ、蓋は、本体に枢着され、開口を塞ぐことが可能であり、受圧子は、本体の下部に設けられ、蓋に枢着されるレバーと連接し、受圧子を押下すると、レバーが連動して蓋が開かれ、作動モータは、本体の下側に設けられ、収容空間と連通する管路を介して収容空間内のエアを抜き出すことが可能であり、制御電子回路は、作動モータと電気的に接続して、作動モータの作動状態を制御し、電源プラグは、作動モータと電気的に接続して電力を供給し、バルブは、収容空間と外気との連通部に設けられて開閉する。【選択図】図１
0003152264.tif 000002
【実用新案登録請求の範囲】
【請求項１】
本体２と、蓋５と、受圧子６と、作動モータ８と、制御電子回路１１と、電源プラグ１０と、バルブ２２と、を有する厨芥容器において、
前記本体２は、内部に収容空間３が設けられ、上部には開口４が設けられ、
前記蓋５は、前記本体２に枢着され、前記開口４を塞ぐことが可能であり、
前記受圧子６は、前記本体２の下部に設けられ、前記蓋５に枢着されるレバー７と連接し、前記受圧子６を押下すると、前記レバー７が連動して前記蓋５が開かれ、
前記作動モータ８は、前記本体２の下側に設けられ、前記収容空間３と連通する管路９を介して前記収容空間３内のエアを抜き出すことが可能であり、
前記制御電子回路１１は、前記作動モータ８と電気的に接続して、前記作動モータ８の作動状態を制御し、
前記電源プラグ１０は、前記作動モータ８と電気的に接続して電力を供給し、
前記バルブ２２は、前記収容空間３と外気との連通部に設けられて開閉することで前記収容空間３の気圧を大気圧に回復可能であること
を特徴とする厨芥容器。
【請求項２】
前記受圧子６は、前記制御電子回路１１と電気的に連接しているリミットスイッチ１８を備え、前記蓋５が閉じると、前記リミットスイッチ１８により前記制御電子回路１１が触発されて前記作動モータ８がオン状態にされることを特徴とする、請求項１に記載の厨芥容器。
【請求項３】
前記蓋５が閉じた状態が所定時間に到達すると、前記リミットスイッチ１８により前記作動モータ８がオン状態になることを特徴とする、請求項２に記載の厨芥容器。
【請求項４】
前記制御電子回路１１と電気的に接続している圧力センサー１９を備え、前記圧力センサー１９により前記収容空間３の気圧が所定の設定値に達したことを検知した時点で、前記制御電子回路１１の制御により前記作動モータ８がオフ状態になることを特徴とする、請求項１又は２に記載の厨芥容器。
【請求項５】
前記圧力センサー１９により前記収容空間３の気圧が予定値に達して予定時間に到達したことを検知した時点で、前記圧力センサー１９により前記作動モータ８がオフ状態にされることを特徴とする、請求項４に記載の厨芥容器。
【請求項６】
前記圧力センサー１９は、シリコンスリーブ２０を備え、前記シリコンスリーブ２０が所定の圧力を受けると、前記制御電子回路１１がオフされて前記作動モータ８がオフ状態にされることを特徴とする、請求項４に記載の厨芥容器。
【請求項７】
前記制御電子回路１１と電気的に接続している表示子２１を備え、前記表示子２１により厨芥容器の運転状態が表示することを特徴とする、請求項４に記載の厨芥容器。
【請求項８】
厨芥容器の運転状態をユーザに知らせるためのブザー２５を備えることを特徴とする、請求項４に記載の厨芥容器。
【請求項９】
前記収容空間３に脱着可能な内容器２３を備え、前記内容器２３の内部には第二収容空間２４が設けることを特徴とする、請求項１に記載の厨芥容器。
【考案の詳細な説明】
【技術分野】
【０００１】
本考案は、厨芥容器に関し、特に、作動装置により厨芥容器の真空状態を制御する真空式厨芥容器に関するものである。
【背景技術】
【０００２】
厨芥は、多数の用途に利用可能でリサイクル可能なものであり、近代化された国家にとって、厨芥をどのようにリサイクルするかは極めて重要な課題である。厨芥をリサイクルする場合には、厨芥容器を用意することが必要であり、すなわち、調理くずや残飯などを集めて厨芥容器に入れることが必要である。
【０００３】
市販されている厨芥容器は、構造が極めて簡単であり、一つの容器本体と一つの蓋とからなり、前記容器本体が厨芥を収容し、前記蓋が前記容器本体の開口を塞ぐ構成のものが多い。このような従来の厨芥容器は、厨芥を長時間収容したまま放置すると、細菌や虫などが発生し、悪臭が厨芥容器から外部に発散され、そして厨芥を毎日リサイクルしても、悪臭が発生し易い。更に、湿度が高くて暑い時期は、厨芥に発生する微生物の繁殖速度が速く、悪臭が更に酷くなる問題があった。そこで、特許文献１や特許文献２のような厨芥容器が提案されている。
【先行技術文献】
【特許文献】
【０００４】
【特許文献１】台湾実用新案第Ｍ３０１８７１号
【特許文献２】台湾実用新案第Ｍ２８０３６９号
【考案の概要】
【考案が解決しようとする課題】
【０００５】
しかしながら、台湾実用新案第Ｍ３０１８７１号の「厨芥容器」は、容器本体の内部に冷却部材が設けられ、前記冷却部材により容器本体の内部の温度が低温状態に維持されるが、低温状態に維持するための電力の消費量が多いという問題がある。また、台湾実用新案第Ｍ２８０３６９号の「厨芥容器」は、脱臭液を収容する空間が追加され、前記脱臭液により厨芥の悪臭を低減することが提案されているが、悪臭を厨芥容器から発散することを完全に防止することができないという問題があった。
【０００６】
本考案の主な目的は、厨芥を長時間収容したまま放置しても、細菌や虫などが発生せず、悪臭が厨芥容器から外部に発散しない厨芥容器を提供することにある。
【課題を解決するための手段】
【０００７】
本考案の請求項１に記載の厨芥容器によると、本体２と、蓋５と、受圧子６と、作動モータ８と、制御電子回路１１と、電源プラグ１０と、バルブ２２と、を有する厨芥容器において、本体２は、内部に収容空間３が設けられ、上部には開口４が設けられ、蓋５は、本体２に枢着され、開口４を塞ぐことが可能であり、受圧子６は、本体２の下部に設けられ、蓋５に枢着されるレバー７と連接し、受圧子６を押下すると、レバー７が連動して蓋５が開かれ、作動モータ８は、本体２の下側に設けられ、収容空間３と連通する管路９を介して収容空間３内のエアを抜き出すことが可能であり、制御電子回路１１は、作動モータ８と電気的に接続して、作動モータ８の作動状態を制御し、電源プラグ１０は、作動モータ８と電気的に接続して電力を供給し、バルブ２２は、収容空間３と外気との連通部に設けられて開閉することで収容空間３の気圧を大気圧に回復可能であることを特徴とする厨芥容器である。
【０００８】
本考案の請求項２に記載の厨芥容器によると、受圧子６は、制御電子回路１１と電気的に連接しているリミットスイッチ１８を備え、前記蓋５が閉じると、前記リミットスイッチ１８により制御電子回路１１が触発されて作動モータ８がオン状態にされることを特徴とする。
本考案の請求項３に記載の厨芥容器によると、蓋５が閉じた状態が所定時間に到達すると、リミットスイッチ１８により作動モータ８がオン状態になることを特徴とする。
【０００９】
本考案の請求項４に記載の厨芥容器によると、制御電子回路１１と電気的に接続している圧力センサー１９を備え、圧力センサー１９により収容空間３の気圧が所定の設定値に達したことを検知した時点で、制御電子回路１１の制御により作動モータ８がオフ状態になることを特徴とする。
本考案の請求項５に記載の厨芥容器によると、圧力センサー１９により収容空間３の気圧が予定値に達して予定時間に到達したことを検知した時点で、圧力センサー１９により作動モータ８がオフ状態にされることを特徴とする。
【００１０】
本考案の請求項６に記載の厨芥容器によると、圧力センサー１９は、シリコンスリーブ２０を備え、シリコンスリーブ２０が所定の圧力を受けると、制御電子回路１１がオフされて作動モータ８がオフ状態にされることを特徴とする。
本考案の請求項７に記載の厨芥容器によると、制御電子回路１１と電気的に接続している表示子２１を備え、表示子２１により厨芥容器の運転状態が表示されることを特徴とする。
【００１１】
本考案の請求項８に記載の厨芥容器によると、厨芥容器の運転状態をユーザに知らせるためのブザー２５を備えることを特徴とする。
本考案の請求項９に記載の厨芥容器によると、収容空間３に脱着可能な内容器２３を備え、内容器２３の内部には第二収容空間２４を設けることを特徴とする。
【考案の効果】
【００１２】
本考案の真空式厨芥容器によれば、次のような効果がある。
（１）厨芥を長時間収容したまま放置しても、細菌や虫などが発生せず、悪臭が厨芥容器から外部に発散しない。
【００１３】
（２）リミットスイッチ及びバルブを受圧子に設けることで、受圧子を押下するだけで、本考案に係る厨芥容器を操作することができるため、ボタンなどを別に押下する必要がなく、操作性が良くなる。
【図面の簡単な説明】
【００１４】
【図１】本考案の実施例の斜視図である。
【図２】Ａは、本考案の実施例に係る第１状態における蓋及び受圧子の作動関係を示す断面図、Ｂは、本考案の実施例に係る第２状態における蓋及び受圧子の作動関係を示す断面図である。
【図３】本考案の実施例の内部構造を示す分解斜視図である。
【図４】本考案の実施例の平面図である。
【図５】Ａは、本考案の実施例に係るバルブの第１の作動関係を示す模式図、Ｂは、本考案の実施例に係るバルブの第２の作動関係を示す模式図である。
【考案を実施するための形態】
【００１５】
以下、本考案の実施の形態を図面に基づいて説明する。
まず、図１乃至図４を参照する。図１は本考案の実施例の斜視図、図２Ａは本考案の実施例に係る第１状態における蓋及び受圧子の作動関係を示す断面図、図２Ｂは本考案の実施例に係る第２状態における蓋及び受圧子の作動関係を示す断面図、図３は本考案の実施例の内部構造を示す分解斜視図、図４は本考案の実施例の平面図である。
本考案に係る厨芥容器１は、本体２と、蓋５と、受圧子６と、作動モータ８と、制御電子回路１１と、電源プラグ１０と、バルブ２２と、を有する。本体２は、内部には厨芥を収容する収容空間３が設けられ、本体２の上部には開口４を有する。蓋５は、本体２に枢着されて回動可能であり、開口４を塞いで、蓋５が開口４を閉じた状態（第１状態）とすることができる（図２Ａ参照）。受圧子６は、本体２の下部に設けられ、蓋５に枢着されるレバー７と連接している。受圧子６を押下すると、レバー７が連動することで、蓋５が開口４から離間され、蓋５が開いた状態（第２状態）とすることができる（図２Ｂ参照）。
作動モータ８は、本体２の下側に設けられ、収容空間３と連通する管路９を介して収容空間３内のエアを抜き出す。電源プラグ１０は、作動モータ８と電気的に接続しており、電力を供給する。また、制御電子回路１１は、作動モータ８と電気的に接続しており、作動モータ８の作動状態を制御し、ユーザが厨芥を収容空間３に投入すると、制御電子回路１１により作動モータ８が起動されて収容空間３内のエアが抜き出され、真空状態になる。
【００１６】
次に、図２Ａ及び図２Ｂを参照し、受圧子６と蓋５の連動関係を説明する。図２Ａは、蓋５が閉じている第１状態における蓋５及び受圧子６の作動関係を示す断面図、図２Ｂは、蓋５が開いている第２状態における蓋５と受圧子６の作動関係を示す断面図である。受圧子６は、受圧端１２と連接端１３とを有し、その中間は、本体２の底部から延びる支点１４によって支持されている。受圧子６は、連接端１３でレバー７に連結され、レバー７は、蓋５に枢着される。第１状態では、図２Ａに示すように、重力により蓋５が閉じて開口４を塞ぎ、蓋５が閉じた状態となり、且つレバー７が連動して下方に変位し、支点１４により受圧端１２が可動範囲の上方に静止している。ここで、受圧端１２が押下されると、図２Ｂに示すように、受圧端１２が可動範囲の下方に変位し、支点１４によりレバー７が上方に変位し蓋５を開ける。本実施例では、受圧端１２がプレート形状を呈しているが、本考案はこれらに限定されない。
【００１７】
本実施例では、管路９と収容空間３と連通するエア抜き口１６は、収容空間３の底面１５に設けることが好ましい。また、本実施例では、電源プラグ１０からの交流電源がトランスによって、所定電圧（例えば、１２ボルト）の直流電源に変換されて本考案の必要な電力を供給する。また、本考案に係る厨芥容器１の本体２の形状は、本実施例の円筒形状に限定されず、何れかの多辺形断面形状からなる容器でもよい。また、エア抜き後の気密性を向上するために、蓋５と開口４の接触箇所には、シリコンリングまたはゴムパッキンを設けてもよく、本実施例では、シリコンリング１７を採用する。
【００１８】
本実施例に係る厨芥容器１は、制御電子回路１１と電気的に接続しているリミットスイッチ１８を備える。リミットスイッチ１８により作動モータ８のオン・オフ状態が制御される。蓋５が開口４を塞ぎ、蓋５が閉じた状態（第１状態）になると、リミットスイッチ１８により制御電子回路１１が触発されて作動モータ８がオン状態となり、収容空間３内のエアを抜き始める。
本実施例に係るリミットスイッチ１８は受圧子６に設けられている。受圧子６の受圧端１２を押下することにより蓋５を開けて厨芥を投入する場合には、受圧端１２が下に押下されて底面１５を離れ、これにより、リミットスイッチ１８及び制御電子回路１１がカットオフ状態になる。なお、蓋５が開口４から離間し、蓋５が閉じた状態（第１状態）になると、リミットスイッチ１８及び制御電子回路１１が電流通過可能な状態になり、作動モータ８が作動してエアを抜き始める。
しかし、厨芥を投入するために蓋５を頻繁に開閉すると、作動モータ８が頻繁にオン・オフされるため、寿命が短くなる問題がある。この問題を解決するために、本考案の実施例では、第２状態から第１状態となった時点、すなわち、蓋５が閉じた時点から所定の設定時間を経過したときに、作動モータ８が起動するように設計されている。
【００１９】
気密性が良い場合には、作動モータ８により収容空間３を真空状態にした後、エア抜きを停止することができる。本実施例では、収容空間３が所定の真空状態に達したかどうかを検知する圧力センサー１９を設ける。圧力センサー１９は制御電子回路１１と電気的に接続しており、収容空間３の真空状態が所定の設定値に達したと圧力センサー１９が検知することにより、制御電子回路１１の制御により作動モータ８を停止する。また、収容空間３の真空状態が所定の設定値よりも低い（例えば細菌の繁殖に適する気圧に戻った）と検知した場合には、制御電子回路１１の制御により再び作動モータ８を起動して収容空間３のエアを抜き出す。本実施例では、圧力センサー１９は、気圧が所定の設定値に達するかどうかを検知するためのシリコンスリーブ２０を備え、収容空間３の下に設ける。シリコンスリーブ２０が底面１５に設けられた穴を介して収容空間３と連通し、収容空間３が真空状態になると、その真空状態に応じてシリコンスリーブ２０が吸引されて変形又は変位することで圧力センサー１９が検知を行い、制御電子回路１１の制御により作動モータ８を停止する。また、本実施例では、圧力センサー１９により収容空間３の気圧が所定の予定値に達して予定時間に到達したことを検知した時点で、作動モータ８が停止してもよい。
【００２０】
本実施例では、制御電子回路１１と電気的に接続している表示子２１を備え、表示子２１により厨芥容器１の運転状態が表示される。表示子２１により、例えば運転状態が正常であるかどうか、蓋５の気密状態や開閉状態、リミットスイッチ１８及び圧力センサー１９の動作が正常であるかどうかなどの状況が表示される。表示子２１は、ディスプレーでもいいし、状態を表示するメーターでもいいし、ランプでもよい。本実施例では、表示子２１に発光ダイオードを採用し、発光ダイオードを受圧端１２に設けている。
【００２１】
本実施例では、図３に示すように、制御電子回路１１と電気的に接続するブザー２５を備えていても良い。ブザー２５は、厨芥容器１の運転状態（例えば運転状態が正常であるかどうか、蓋５の気密状態や開閉状態、リミットスイッチ１８及び圧力センサー１９の具合が正常であるかどうかなどの状況）に応じて相違する音声を発生し、厨芥容器１の運転状態をユーザに知らせる。
【００２２】
また、収容空間３が真空状態にある場合には、ユーザは蓋５を容易に開けることができない。本実施例では、収容空間３と外気との連通部にバルブ２２を設け、バルブ２２を介して収容空間３が外気と連通可能となっている。バルブ２２の開閉により収容空間３の気圧を大気圧に回復することができ、収容空間３の気圧を大気圧に回復すると、蓋５を開けることができる。具体的には、本実施例では、蓋５が受圧子６と連動して移動するので、バルブ２２を受圧子６に設けることが好ましい。また、収容空間３と外気との連通部に略筒状のバルブ受２６を設け、バルブ２２がバルブ受２６に当接可能になっており、図５Ａに示すように、第１状態においてはバルブ２２の一端がバルブ受２６に当接してバルブ２２は閉状態となり、収容空間３が気密状態になる。蓋５を開けたい場合には、図５Ｂに示すように、受圧端１２を押下することによって、受圧子６に設けられたバルブ２２がバルブ受２６から離間して、エア（外気）が収容空間３に流入し、収容空間３内の気圧が大気圧に戻る。これにより、蓋５を容易に開けることができる。
【００２３】
また、本考案に係る厨芥容器は、更に、内容器２３を備えてもよい。内容器２３の内部には厨芥を収容する第二収容空間２４を設けることにより、厨芥容器の洗浄が更に容易になり、また、厨芥から漏れた液体が電子部材に侵入して電子部材を破壊することを回避することもできる。
【００２４】
本考案について特定の例を参照して説明を行ったが、これらの例は、説明のためだけのものであり、本考案を限定するものではなく、本考案の趣旨の範囲を逸脱することなく、ここで開示された実施例に変更、追加、または、削除を施してもよい。
【産業上の利用可能性】
【００２５】
本考案は、厨芥を保存し、又は処理する装置に適用することができる。
【符号の説明】
【００２６】
１    真空式厨芥容器
２    本体
３    収容空間
４    開口
５    蓋
６    受圧子
７    レバー
８    作動モータ
９    管路
１０  電源プラグ
１１  制御電子回路
１２  受圧端
１３  連接端
１４  支点
１５  底面
１６  エア抜き口
１７  シリコンリング
１８  リミットスイッチ
１９  圧力センサー
２０  シリコンスリーブ
２１  表示子
２２  バルブ
２３  内容器
２４  第二収容空間
２５  ブザー
２６  バルブ受
【図１】
0003152264.tif 000003
【図２】
0003152264.tif 000004
【図３】
0003152264.tif 000005
【図４】
0003152264.tif 000006
【図５】
0003152264.tif 000007